(57)【特許請求の範囲】
【請求項１】
室温を測定するための室温測定手段と、耳孔内体温を測定するための耳孔内体温測定手段と、前記室温測定手段で測定した室温に応じて一測定あたりの連続測定回数を決定する連続測定回数決定手段と、報知手段とを備え、前記連続測定回数決定手段は、決定した連続測定回数を報知する耳式体温計。
【請求項２】
記憶手段を備え、報知手段は、連続測定回数決定手段によって決定し報知した連続測定回数中の耳孔内体温値の最高値を報知する請求項１に記載した耳式体温計。
【請求項３】
計時手段を備え、連続測定回数決定手段は、耳孔内体温の測定間隔が所定時間以上空いた時、その時点の室温で連続測定回数を再決定して報知する請求項１または２に記載した耳式体温計。
【請求項４】
測定値ばらつき判定手段を備え、連続測定回数決定手段は、連続測定回数中の測定した耳孔内体温値のばらつきが所定値以上である場合に連続測定回数を延長する請求項１から３のいずれか１項に記載した耳式体温計。
【請求項５】
連続測定回数決定手段は、測定が終了する毎に報知した連続測定回数の残数を報知する請求項１から４のいずれか１項に記載した耳式体温計。
【請求項６】
連続測定回数決定手段は、報知した連続測定回数未満で１測定を終了しようとすると注意喚起報知を行う請求項１から５のいずれか１項に記載した耳式体温計。
【発明の詳細な説明】
【０００１】
【発明の属する技術分野】
本発明は、鼓膜温度を非接触で測定できる耳式体温計に関するものである。
【０００２】
【従来の技術】
本来、耳式体温計は、体温中枢である視床下部と血流を共有していて人体の深部体温を良く反映していると言われている鼓膜の温度を、その放射される赤外線を検出することによって瞬時に測定するものである。従来の耳式体温計は、案内部と呼ばれる部分を耳孔内に差し込んでそこから放射される赤外線を赤外線センサで検出して約１秒で測定完了するもので、測定時間内での耳孔内温度のピークを検出するものもある。
【０００３】
【発明が解決しようとする課題】
鼓膜温は、正しく測定できれば、測定の際外気に直にさらされる舌下や腋下よりもより真の体温を反映するものである。ところが、人体の外耳道は非常に個体差があり、細かったり曲がっていたりして、従来の耳式体温計の案内部を単純に耳孔内に差し込んだだけでは、鼓膜が非常に見えにくい。鼓膜が見えにくいと、本来鼓膜温度を測定すべきところが、外耳道の温度を測定してしまい鼓膜温度より低い温度をひろい正しい測定ができなかった。この場合、いくらピーク温度をとってもあくまでも外耳道内のピーク温度にすぎない。さらに、外耳道を見ている場合は、室温が低いと外気に冷やされたり、差し込んだ冷えた案内部に冷やされてしまい、その結果として室温によって測定温度が影響を受けて低かったり、測定の再現性が悪かった。
【０００４】
【課題を解決するための手段】
室温を測定するための室温測定手段と、耳孔内体温を測定するための耳孔内体温測定手段と、前記室温測定手段で測定した室温に応じて１測定あたりの連続測定回数を決定する連続測定回数決定手段と、報知手段とを備え、前記連続測定回数決定手段は、決定した連続測定回数を報知するようにして、室温に応じて安定した再現性が得られるまで測定してできるだけ低温下での測定値への影響を押さえて、しかも案内部が鼓膜に向いていない場合に対する方向変えにも対応する耳式体温計としている。
【０００５】
【発明の実施の形態】
請求項１に記載した発明は、室温を測定するための室温測定手段と、耳孔内体温を測定するための耳孔内体温測定手段と、前記室温測定手段で測定した室温に応じて１測定あたりの連続測定回数を決定する連続測定回数決定手段と、報知手段とを備え、前記連続測定回数決定手段は、決定した連続測定回数を報知するようにして、できるだけ低温下での測定値への影響を押さえて、しかも案内部が鼓膜に向いていない場合に対する方向替えにも対応する耳式体温計としている。
【０００６】
請求項２に記載した発明は、記憶手段を備え、報知手段は、連続測定回数決定手段によって決定され報知した連続測定回数中の耳孔内体温値の最高値を前記記憶手段に記憶して報知するようにして、使用者が容易に信頼性の高い測定値を知ることができる耳式体温計としている。
【０００７】
請求項３に記載した発明は、計時手段を備え、連続測定回数決定手段は、耳孔内体温の測定間隔が所定時間以上空いた時、その時点の室温で連続測定回数を再決定して報知するようにして、耳孔内体温の測定間隔が所定時間空いた間の室温変化にも対応できる耳式体温計としている。
【０００８】
請求項４に記載した発明は、測定値ばらつき判定手段を備え、連続測定回数決定手段は、連続測定回数中の測定した耳孔内体温値のばらつきが所定値以上である場合に連続測定回数を延長するようにして、測定値の信頼性を向上した耳式体温計としている。
【０００９】
請求項５に記載した発明は、連続測定回数決定手段は、測定が終了する毎に報知した連続測定回数の残数を報知するようにして、使用者が信頼性の高い測定値を得るための意識付けを図ったできる耳式体温計としている。
【００１０】
請求項６に記載した発明は、連続測定回数決定手段は、報知した連続測定回数未満で１測定を終了しようとすると注意喚起報知を行うようにして、使用者が信頼性の高い測定値を得るための意識付けを図った耳式体温計としている。
【００１１】
【実施例】
（実施例１）
以下本発明の第１の実施例について説明する。図１は本実施例の構成を示すブロック図である。本実施例の耳式体温計の本体１（以下単に本体１と称する）は、耳孔内に挿入することによって人体が放射する赤外線を本体１に案内する案内部２と、案内部２によって案内された赤外線量をもとに耳孔内温度を測定する耳孔内体温測定手段３と、連続測定回数決定手段４と、報知手段５と、電源入／切スイッチ６を備えている。電源入／切スイッチ６は、押される毎に耳孔内体温測定手段３と連続測定回数決定手段４と報知手段５への電源供給の入と切を繰り返すものである。耳孔内体温測定手段３は、赤外線センサ７と、赤外線センサ７の受光窓を開閉する遮蔽板８と、遮蔽板８を駆動する遮蔽板駆動手段９と、赤外線センサ素子温度検出手段１０と、赤外線センサ７の信号と赤外線センサ素子温度検出手段１０での検出温度から耳孔内温度を演算するための耳孔内体温演算手段１１と、測定スイッチ１２から構成される。赤外線センサ７は常に赤外線を受光している状態であると出力がなくなってしまうため、周期的に遮蔽と開口を繰り返すことで出力を得るものである。赤外線センサ素子温度検出手段１０は、赤外線センサ７の素子そのものの温度を検出するもので、測定時に使用者が持った手の温度の影響を受けにくい場所に配置して室温測定手段を兼ねるものである。また、連続測定回数決定手段４には、電源入／切スイッチ６の状態が入力されるものである。報知手段６は、液晶表示部とブザー音吹鳴部によって構成されている。
【００１２】
以下、本実施例の動作について説明する。使用者が、電源入／切スイッチ６を押して本体１の電源を入れると、連続測定回数決定手段４は、まず、電源切状態で電源入／切スイッチ６が押され電源が入になったことを検知する。次に連続測定回数決定手段４は、赤外線センサ素子温度検出手段１０から検出温度を入力する。赤外線センサ素子温度検出手段１０は、測定時に使用者が持った手の温度の影響を受けにくい場所に配置してあるので、電源が入りになった直後はその検出温度がほぼ室温と等しい。連続測定回数決定手段４は、この検出温度を室温として、室温に応じて連続測定回数を決定し、報知手段６を構成する液晶表示部に表示する。例えば、室温が３０℃なら１回、室温が１０℃なら３回等と決定して液晶表示部に表示する。この連続測定回数は、各々の室温に於いて、既に実験等で多数の被験者について室温低温下の影響をキャンセルでき、しかも鼓膜の方向を変えて探れるだけの回数とするものである。使用者は、その表示を見て、測定の信頼性を得るための連続測定回数を確認した上で、案内部２を耳孔内に挿入し、測定スイッチ１２を押す。測定スイッチ１２が押されると、耳孔内体温測定手段４で耳孔内体温が測定される。即ち、測定スイッチ１２が押されると、遮蔽板駆動手段９が遮蔽板８を駆動して赤外線センサ７の受光窓を開閉する。案内部２によって案内された耳孔内より放射された赤外線量は、この遮蔽板８の開閉によって赤外線センサ７によって検出される。赤外線センサ７の出力は、赤外線センサ素子そのものの温度によって出力量が規制されるものであるため、耳孔内体温演算手段１１は、赤外線センサ７の出力量と赤外線センサ素子温度検出手段１０で検出した赤外線センサ素子温度とから耳孔内温度を演算する。耳孔内体温の測定が終了すると、遮蔽板駆動手段９は遮蔽板８を閉状態にしてから動作を停止し、報知手段６を構成するブザー音吹鳴部でピッ音を吹鳴して液晶表示部に、耳孔内体温を表示すると同時に今回が何回目の測定であるかを表示する。この各１回の測定値は、測定時間内のピークホールドした最高値を採用する。
【００１３】
使用者は、同様にして測定スイッチ１２を押して耳孔内体温の測定を連続測定回数に達するまで鼓膜の方向を探りながら案内部２の方向を変えて測定を繰り返す。連続測定回数の測定が終了した時には、連続測定回数決定手段４は、ブザー音吹鳴部でピーピー音を吹鳴する。使用者は、連続測定回数の耳孔内体温測定を終了すると、各々の測定値の内の最高値を耳孔内体温値とみなして測定を終了して電源入／切スイッチ６を押して電源を切にして測定を終了する。
【００１４】
なお本実施例では、室温を測定するための室温測定手段を赤外線センサ素子温度検出手段と兼用したが、別途設けてもかまわない。また、連続測定回数の報知を液晶表示部での表示としたが、音声で回数を報知してもかまわない。
【００１５】
以上のように本実施例によれば、室温に応じて安定した再現性が得られるまで測定してできるだけ低温下での測定値への影響を押さえて、しかも案内部が鼓膜に向いていない場合に対する方向変えにも対応する耳耳式体温計を実現するものである。
【００１６】
（実施例２）
次に本発明の第２の実施例について説明する。図２は本実施例の構成を示すブロック図である。本実施例では、実施例１の構成に加えて、記憶手段１３を有しているものである。
【００１７】
以下、本実施例の動作について説明する。使用者が、電源入／切スイッチ６を押して本体１の電源を入れ、連続測定回数決定手段４が決定した連続測定回数の表示を確認した上で、案内部２を耳孔内に挿入し、測定スイッチ１２を押して１回の測定が終了するまでは実施例１と同様である。その後、記憶手段１３は、この各回の測定値を記憶し、連続測定回数中の最高値を各回の測定値と同時に液晶表示部で報知する。使用者は、同様にして測定スイッチ１２を押して耳孔内体温の測定を連続測定回数に達するまで鼓膜の方向を探りながら案内部２の方向を変えて測定を繰り返す。使用者は、連続測定回数の耳孔内体温測定を終了すると、液晶表示部に表示されている連続測定回数中の最高測定値を耳孔内体温値として測定を終了して電源入／切スイッチ６を押して電源を切にして測定を終了する。
【００１８】
なお、使用者が、報知した連続測定回数以上の回数の測定を行った場合には、測定回数中の最高測定値を報知する。即ち、報知した連続測定回数が３回であるのに使用者が５回測定した場合は、５回中の最高測定値を報知する。
【００１９】
なお本実施例では、電源入の状態では常時、連続測定回数中の最高測定値を報知するようにしたが、各測定が終了する毎に音声等で報知するようにしても良いものである。
【００２０】
以上のように本実施例によれば、使用者が連続測定回数中の各測定値を記憶して判断することなしに容易に信頼性の高い測定値を知ることができる耳式体温計を実現するものである。
【００２１】
（実施例３）
続いて本発明の第３の実施例について説明する。図３は本実施例の構成を示すブロック図である。本実施例では、実施例２の構成に加えて、計時手段１４を有しているものである。
【００２２】
以下、本実施例の動作について説明する。使用者が、電源入／切スイッチ６を押して本体１の電源を入れ、連続測定回数決定手段４が決定した連続測定回数の表示を確認した上で、案内部２を耳孔内に挿入し、測定スイッチ１２を押して１回の測定が終了し、この各回の測定値が記憶手段１３に記憶されて連続測定回数中の最高値が各回の測定値と同時に液晶表示部で報知されるのは実施例２と同様である。計時手段１４は、測定スイッチ１２が押される間隔を計時する。連続測定回数決定手段４は、計時手段１４で計時する間隔が１０分以上空いた時、その時点の室温即ち、その時点で入力した赤外線センサ素子温度検出手段１０からの検出温度に応じて連続測定回数を再決定して報知手段５を構成する液晶表示部で表示し直すものである。
【００２３】
なお本実施例では、連続測定回数決定手段が再報知する時間間隔を１０分以上としたが、任意の時間間隔としてよい。また、室温に応じて時間間隔を変えてもかまわない。
【００２４】
以上のように本実施例によれば、耳孔内体温の測定間隔が所定時間空いた間の室温変化にも対応できる耳式体温計となっている。
【００２５】
（実施例４）
続いて本発明の第４の実施例について説明する。図４は本実施例の構成を示すブロック図である。本実施例では、実施例３の構成に加えて、測定値ばらつき判定手段１５を有しているものである。
【００２６】
以下、本実施例の動作について説明する。使用者が、電源入／切スイッチ６を押して本体１の電源を入れ、連続測定回数決定手段４が決定した連続測定回数の表示を確認した上で、案内部２を耳孔内に挿入し、測定スイッチ１２を押して１回の測定が終了するまでは実施例１と同様である。その後、記憶手段１３は、この各回の測定値を記憶し、連続測定回数中の最高値及び各回の測定値のばらつき(最高値−最低値の値、例えば０．２℃）を各回の測定値と同時に液晶表示部で報知する。使用者は、同様にして測定スイッチ１２を押して耳孔内体温の測定を連続測定回数に達するまで鼓膜の方向を探りながら案内部２の方向を変えて測定を繰り返す。使用者が、連続測定回数の耳孔内体温測定を終了すると、測定値ばらつき判定手段１５は、連続測定回数中の最高値−最低値の値が、０．１℃以下かどうかを判定する。測定値ばらつき判定手段１５によって、測定値ばらつきが０．１℃より大きいと判定された場合には、連続測定回数決定手段４は、連続測定回数を１回延長する旨の報知を液晶表示部で行う。使用者は、この指示に従い、その回数分測定を行い、液晶表示部に表示されている連続測定回数中の最高測定値を耳孔内体温値として測定を終了して電源入／切スイッチ６を押して電源を切にして測定を終了する。
【００２７】
使用者が、報知した連続測定回数以上の回数の測定を行った場合には、測定回数中の高い順に並べ上位連続測定回数分でばらつきを判定する。即ち、報知した連続測定回数が３回であるのに使用者が５回測定した場合は、５回の測定値を高い順に並べ上位３位迄の最高値と最低値でばらつきを判定する。
【００２８】
なお本実施例では、測定値ばらつきを連続測定回数中の最高値−最低値としたが標準偏差等を用いても良い。また、連続測定回数の延長は、最初に報知した回数分延長してもかまわないし、延長を音声等で報知してもかまわない。
【００２９】
以上のように本実施例によれば、測定値の信頼性を向上した耳式体温計となっている。
【００３０】
（実施例５）
続いて本発明の第５の実施例について説明する。本実施例の構成は、実施例４と同様の図４である。
【００３１】
以下、本実施例の動作について説明する。使用者が、電源入／切スイッチ６を押して本体１の電源を入れ、連続測定回数決定手段４が決定した連続測定回数の表示を確認した上で、案内部２を耳孔内に挿入し、測定スイッチ１２を押して１回の測定が終了するまでは実施例４と同様である。その後、記憶手段１３は、この各回の測定値を記憶し、連続測定回数中の最高値及び各回の測定値のばらつき(最高値−最低値の値、例えば０．１℃）を各回の測定値と同時に液晶表示部で報知する。この時、さらに同時に連続測定回数の残数を表示する。使用者は、同様にして測定スイッチ１２を押して耳孔内体温の測定を連続測定回数の残数が０になるまで鼓膜の方向を探りながら案内部２の方向を変えて測定を繰り返す。使用者は、連続測定回数の残数が０と報知された時に、液晶表示部に表示されている連続測定回数中の最高測定値を耳孔内体温値として測定を終了して電源入／切スイッチ６を押して電源を切にして測定を終了する。
【００３２】
以上のように本実施例によれば、使用者が信頼性の高い測定値を得るための意識付けを図ったできる耳式体温計となっている。
【００３３】
（実施例６）
続いて本発明の第６の実施例について説明する。本実施例の構成は、実施例４と同様の図４である。図５は本実施例の動作を示すフローチャートである。
【００３４】
以下、本実施例の動作について説明する。使用者が、電源入／切スイッチ６を押して本体１の電源を入れ（ステップ１）、連続測定回数決定手段４が決定した連続測定回数の表示を確認した上で、案内部２を耳孔内に挿入し、測定スイッチ１２を押して１回の測定が終了するまでは実施例５と同様である。その後、記憶手段１３は、この各回の測定値を記憶し、連続測定回数中の最高値及び各回の測定値のばらつき(最高値−最低値の値、例えば０．１℃）を各回の測定値と同時に液晶表示部で報知する。この時、さらに同時に連続測定回数の残数を表示する。（ステップ２〜５）使用者が、連続続測定回数の残数が０にならない内に電源入／切スイッチ６を押して電源を切にしようとすると（ステップ１１〜１２）、連続測定回数決定手段４は、報知手段５を構成するブザー吹鳴部でピピピピピ音を吹鳴した後（ステップ１３）、電源を切にする（ステップ１４）。
【００３５】
以上のように本実施例によれば、、使用者が信頼性の高い測定値を得るための意識付けを図った耳式体温計となっている。
【００３６】
【発明の効果】
請求項１に記載した発明は、室温を測定するための室温測定手段と、耳孔内体温を測定するための耳孔内体温測定手段と、前記室温測定手段で測定した室温に応じて１測定あたりの連続測定回数を決定する連続測定回数決定手段と、報知手段とを備え、前記連続測定回数決定手段は、決定した連続測定回数を報知する構成として、室温に応じて安定した再現性が得られるまで測定してできるだけ低温下での測定値への影響を押さえて、しかも案内部が鼓膜に向いていない場合に対する方向変えにも対応する耳式体温計を実現するものである。
【００３７】
請求項２に記載した発明は、記憶手段を備え、報知手段は、連続測定回数決定手段によって決定され報知した連続測定回数中の耳孔内体温値の最高値を前記記憶手段に記憶して報知する構成として、使用者が容易に信頼性の高い測定値を知ることができる耳式体温計を実現するものである。
【００３８】
請求項３に記載した発明は、計時手段を備え、連続測定回数決定手段は、耳孔内体温の測定間隔が所定時間以上空いた時、その時点の室温で連続測定回数を再決定して報知する構成として、耳孔内体温の測定間隔が所定時間空いた間の室温変化にも対応できる耳式体温計を実現するものである。
【００３９】
請求項４に記載した発明は、測定値ばらつき判定手段を備え、連続測定回数決定手段は、連続測定回数中の測定した耳孔内体温値のばらつきが所定値以上である場合に連続測定回数を延長する構成として、測定値の信頼性を向上した耳式体温計を実現するものである。
【００４０】
請求項５に記載した発明は、連続測定回数決定手段は、測定が終了する毎に報知した連続測定回数の残数を報知する構成として、使用者が信頼性の高い測定値を得るための意識付けを図ったできる耳式体温計を実現するものである。
【００４１】
請求項６に記載した発明は、連続測定回数決定手段は、報知した連続測定回数未満で１測定を終了しようとすると注意喚起報知を行う構成として、使用者が信頼性の高い測定値を得るための意識付けを図った耳式体温計を実現するものである。
【図面の簡単な説明】
【図１】本発明の第１の実施例である耳式体温計の構成を示すブロック図
【図２】同、第２の実施例である耳式体温計の構成を示すブロック図
【図３】同、第３の実施例である耳式体温計の構成を示すブロック図
【図４】同、第４、第５の、第６の実施例である耳式体温計の構成を示すブロック図
【図５】同、第６の実施例である耳式体温計の動作を示すフローチャート
【符号の説明】
１  本体
２  案内部
３  耳孔内体温測定手段
４  連続測定回数決定手段
５  報知手段
６  電源入／切スイッチ
７  赤外線センサ
８  遮蔽板
９  遮蔽板駆動手段
１０  赤外線センサ素子温度検出手段（室温測定手段）
１１  耳孔内体温演算手段
１２  測定スイッチ
１３  記憶手段
１４  計時手段
１５  測定値ばらつき判定手段
【図１】
0004126807.tif 000002
【図２】
0004126807.tif 000003
【図３】
0004126807.tif 000004
【図４】
0004126807.tif 000005
【図５】
0004126807.tif 000006